(57)【要約】      （修正有）【課題】  ワイヤーハーネスに止水処理用シートを容易に且つ緩みなく巻き付けることができるワイヤーハーネスの止水処理用シート巻き治具を提供する。【解決手段】  ワイヤーハーネス２の幹部を前記幹部に対して回転可能に外側から保持する保持部３と、前記保持部３から前記ワイヤーハーネス２の径方向外方に延設された主軸４と、前記主軸４に当該主軸４の軸方向に沿って移動可能に設けられ、前記ワイヤーハーネス２の止水処理用シートを挟持するシート挟持部６と、前記シート挟持部６を前記ワイヤーハーネス２から離間する側に付勢する付勢手段７とを備える。【選択図】  図３
2005071793.tif 000002
【特許請求の範囲】
【請求項１】
ワイヤーハーネスの幹部を前記幹部に対して回転可能に外側から保持する保持部と、前記保持部から前記ワイヤーハーネスの径方向外方に延設された主軸と、前記主軸に当該主軸の軸方向に沿って移動可能に設けられ、前記ワイヤーハーネスの止水処理用シートを挟持するシート挟持部と、前記シート挟持部を前記ワイヤーハーネスから離間する側に付勢する付勢手段とを備えることを特徴とするワイヤーハーネスの止水処理用シート巻き治具。
【請求項２】
前記付勢手段が圧縮コイルばねであることを特徴とする請求項１に記載したワイヤーハーネスの止水処理用シート巻き治具。
【請求項３】
前記保持部が略Ｃ字型で開口端に前記ワイヤーハーネスに組み付ける際の案内部を備えることを特徴とする請求項１又は２に記載したワイヤーハーネスの止水処理用シート巻き治具。
【請求項４】
請求項１〜３のいずれか一項に記載したワイヤーハーネスの止水処理用シート巻き治具を用い、前記ワイヤーハーネスの幹部を前記保持部で保持した状態で、前記シート挟持部に挟持された前記止水処理用シートを前記ワイヤーハーネスの幹部に貼り付け、この状態で前記止水処理用シート巻き治具を回転させることにより、前記止水処理用シートを前記ワイヤーハーネスの前記幹部に巻き付けることを特徴とするワイヤーハーネスの止水処理用シートの巻き付け方法。
【発明の詳細な説明】
【技術分野】
【０００１】
本発明は、例えば自動車等に配索されるワイヤーハーネスの止水処理用シート巻き治具および止水処理用シートの巻き付け方法に関する。
【背景技術】
【０００２】
従来より、ワイヤーハーネスの止水処理用シートの巻き付け方法として、ワイヤーハーネスを半割りコルゲートチューブ取付用治具にセットして、止水処理用シートを手巻きでワイヤーハーネスに巻き付けることが行われている（例えば特許文献１参照）。
【特許文献１】特開平１１−１８６７９９号公報
【発明の開示】
【発明が解決しようとする課題】
【０００３】
しかしながら、上記特許文献１に記載のワイヤーハーネスの止水処理用シートの巻き付け方法においては、手巻きであるため、止水処理用シートをワイヤーハーネスに緩みなく巻き付けることが難しいという問題がある。
【０００４】
本発明は、前述した問題点に鑑みてなされたものであり、その目的は、ワイヤーハーネスに止水処理用シートを緩みなく巻き付けることができるワイヤーハーネスの止水処理用シート巻き治具およびワイヤーハーネスの止水処理用シートの巻き付け方法を提供することにある。
【課題を解決するための手段】
【０００５】
前述した目的を達成するために、本発明のワイヤーハーネスの止水処理用シート巻き治具は、ワイヤーハーネスの幹部を前記幹部に対して回転可能に外側から保持する保持部と、前記保持部から前記ワイヤーハーネスの径方向外方に延設された主軸と、前記主軸に当該主軸の軸方向に沿って移動可能に設けられ、前記ワイヤーハーネスの止水処理用シートを挟持するシート挟持部と、前記シート挟持部を前記ワイヤーハーネスから離間する側に付勢する付勢手段とを備えることを特徴としている。
【０００６】
このように構成されたワイヤーハーネスの止水処理用シート用巻き治具においては、前記ワイヤーハーネスの幹部を前記保持部で保持した状態で、前記シート挟持部に挟持された前記止水処理用シートを前記ワイヤーハーネスの幹部に貼り付け、この状態で前記止水処理用シート巻き治具を回転させることにより、前記シート挟持部が前記付勢手段の付勢力に抗して前記ワイヤーハーネス側に移動して前記止水処理用シートが前記ワイヤーハーネスの前記幹部に巻き付けられるので、止水処理用シートを容易に且つ緩みなくワイヤーハーネスに巻き付けることができる。
【０００７】
従って、このワイヤーハーネスの止水処理用シート巻き治具においては、従来のような手巻きであるため、止水処理用シートをワイヤーハーネスに緩みなく巻き付けることが難しいという問題を解消できることになる。
【０００８】
また、本発明のワイヤーハーネスの止水処理用シート巻き治具は、前記付勢手段が圧縮コイルばねであることを特徴としている。
このように構成されたワイヤーハーネスの止水処理用シート巻き治具においては、付勢手段の構造を簡単にすることができる。
【０００９】
更に、本発明のワイヤーハーネスの止水処理用シート巻き治具は、前記保持部が略Ｃ字型で開口端に前記ワイヤーハーネスに組み付ける際の案内部を備えることを特徴としている。
このように構成されたワイヤーハーネスの止水処理用シート巻き治具においては、保持部をワイヤーハーネスの幹部に容易に組み付けることができる。
【００１０】
更に、本発明の止水処理用シートの巻き付け方法は、前述したワイヤーハーネスの止水処理用シート巻き治具を用い、前記ワイヤーハーネスの幹部を前記保持部で保持した状態で、前記シート挟持部に挟持された前記止水処理用シートを前記ワイヤーハーネスの幹部に貼り付け、この状態で前記止水処理用シート巻き治具を回転させることにより、前記止水処理用シートを前記ワイヤーハーネスの前記幹部に巻き付けることを特徴としている。
【発明の効果】
【００１１】
本発明によれば、従来のような手巻きであるため止水処理用シートをワイヤーハーネスに緩みなく巻き付けることが難しいという問題を解消でき、これにより、止水処理用シートを容易に且つ緩みなくワイヤーハーネスに巻き付けることができるという効果が得られる。
【発明を実施するための最良の形態】
【００１２】
以下、本発明に係る実施形態を図面に基づいて詳細に説明する。図１は本発明に係る実施形態であるワイヤーハーネスの止水処理用シート巻き治具を示す斜視図、図２は図１のII−II線断面図、図３はシート挟持部に挟持された止水処理用シートの端部をワイヤーハーネスに貼り付けた状態を示す斜視図、図４は図３の概略側面図、図５は図４の状態から止水処理用シート巻き治具を３６０°矢印方向に回転させてワイヤーハーネスに止水処理用シートを巻き付けた状態を示す図である。
【００１３】
図１に示すように、本発明の実施形態であるワイヤーハーネスの止水処理用シート巻き治具１は、ワイヤーハーネス２の幹部を前記幹部に対して回転可能に外側から保持する保持部３がワイヤーハーネス２の軸方向に離間して二カ所配置されている。各保持部３からはそれぞれ主軸４がワイヤーハーネス２の径方向外方に延設されており、各主軸４間にはワイヤーハーネス２の止水処理用シート５を挟持するシート挟持部６が主軸４の軸方向に沿って移動可能に架け渡され、また、主軸４内のシート挟持部６の端部と保持部３との間には前記シート挟持部６をワイヤーハーネス２から離間する側に付勢する付勢手段としての圧縮コイルばね７が配置されている。付勢手段として圧縮コイルばね７を採用することで、付勢手段の構造を簡単にしている。
【００１４】
保持部３は、略Ｃ字型とされて開口端にワイヤーハーネス２に組み付ける際の案内部３ａが斜め外方を向いて設けられている。
シート挟持部６は、止水処理用シート５の基端部を挟持する上下二つのバー部材６ａ，６ｂを備えており、各バー部材６ａ，６ｂの両端は主軸４の内側面に形成されたスリット８に沿って主軸４の軸方向に案内され、下側のバー部材６ｂと保持部３との間に前記圧縮コイルばね７が介装されている。
【００１５】
また、上側のバー部材６ａの上面には止水処理用シート５の幅より長い間隔で長手方向に離間配置された２つのボルト９が挿入されており、各ボルト９を下側のバー部材６ｂにねじ込むことにより、上下二つのバー部材６ａ，６ｂの間に挟持された止水処理用シート５の基端部が強固に締め付けられてシート挟持部６に固定される。
【００１６】
次に、図３〜図５を参照して、上記ワイヤーハーネスの止水処理用シート用治具１を用いてワイヤーハーネス２に止水処理用シート５を巻き付ける方法を説明する。
まず、保持部３を開口端からワイヤーハーネス２の幹部に組み込んで前記保持部３でワイヤーハーネス２を保持する。このとき、保持部３は、略Ｃ字型とされて開口端にワイヤーハーネス２に組み付ける際の案内部３ａが斜め外方を向いて設けられているので、保持部３をワイヤーハーネス２の幹部に容易に組み付けることができる。
【００１７】
次に、シート挟持部６の上下のバー部材６ａ，６ｂ間に止水処理用シート５の基端部を挟持し、上側のバー部材６ａの上面に挿入された２つのボルト９を下側のバー部材６ｂにねじ込むことで、止水処理用シート５の基端部を強固に締め付けてシート挟持部６に固定する。
【００１８】
次に、図３及び図４に示すように、止水処理用シート５の先端部をワイヤーハーネス２の側部に貼り付け、この状態で、図５に示すように、治具１をワイヤーハーネス２の軸を中心として止水処理用シート５を貼り付けた側の反対側に回転（この例では３６０°）させると、シート挟持部６が圧縮コイルばね７の付勢力に抗してワイヤーハーネス２側に移動して止水処理用シート５がワイヤーハーネス２の幹部に巻き付けられ、これにより、止水処理用シート５を容易に且つ緩みなくワイヤーハーネス２に巻き付けることができる。      
【００１９】
治具１を回転させて止水処理用シート５をワイヤーハーネス２に巻き付けた後、二つのボルト９を緩めてシート挟持部６から止水処理用シート５の基端部を取り外し、取り外し部分をワイヤーハーネス２に巻き付けることで、巻き付け作業が終了する。
【００２０】
なお、本発明のワイヤーハーネスの止水処理用シート巻き治具は、前述した実施形態に限定されるものでなく、適宜な変形，改良等が可能である。
例えば、前述した実施形態において、ワイヤーハーネスに止水処理用シートを巻き付ける場合を例示したが、これに限定されず、コルゲートチューブにワイヤーハーネスを挿入した状態で止水処理用シートを巻き付ける場合にも本発明のワイヤーハーネスの止水処理用シート巻き治具を適用可能である。
【００２１】
その他、前述した実施形態において例示したワイヤーハーネス、保持部、主軸、止水処理用シート、シート挟持部、付勢手段、圧縮コイルばね、案内部等の材質，形状，寸法，形態，数，配置個所等は本発明を達成できるものであれば任意であり、限定されない。
【図面の簡単な説明】
【００２２】
【図１】本発明に係る実施形態であるワイヤーハーネスの止水処理用シート巻き治具を示す斜視図である。
【図２】図１のII−II線断面図である。
【図３】シート挟持部に挟持された止水処理用シートの端部をワイヤーハーネスに貼り付けた状態を示す斜視図である。
【図４】図３の概略側面図である。
【図５】図４の状態から止水処理用シート巻き治具を３６０°矢印方向に回転させてワイヤーハーネスに止水処理用シートを巻き付けた状態を示す図である。
【符号の説明】
【００２３】
１  止水処理用シート巻き治具
２  ワイヤーハーネス
３  保持部
３ａ  案内部
４  主軸
５  止水処理用シート
６  シート挟持部
７  圧縮コイルばね（付勢手段）
【図１】
2005071793.tif 000003
【図２】
2005071793.tif 000004
【図３】
2005071793.tif 000005
【図４】
2005071793.tif 000006
【図５】
2005071793.tif 000007